(57)【要約】【課題】設置面の照度を向上させる埋込み型照明装置を提供する。【解決手段】埋込み型照明装置は、照明装置の外殻を構成する照明装置本体１を有する。照明装置本体１の下端の外周には外鍔部１１が形成されており、照明装置本体１の下側は、照射光を反射する反射板５によって覆われており、照明装置本体１と反射板５とで筐体１２を構成している。照明装置本体１は、天井面１０に設けられた埋込み孔に挿入され、外鍔部１１を埋込み孔の周りの天井面１０に当接させて設置される。筐体１２の内部の両端部には、冷陰極蛍光ランプ６が備えられており、その上方には冷陰極蛍光ランプ６を点灯させるインバータ９が設置されている。外鍔部１１の天井面１０と平行な方向の端部は、アクリル樹脂７からなる。また、冷陰極蛍光ランプ６から発せられた光Ａをアクリル樹脂７へ導くことができるように、冷陰極蛍光ランプ６の下方には、反射板８が設置されている。【選択図】図１
2009123650.tif 000002
【特許請求の範囲】
【請求項１】
設置面に設けられた埋込み孔に挿入される本体と、該本体の外周に形成され、前記埋込み孔に前記本体を挿入するときに前記設置面に当接する外鍔部とを有する埋込み型照明装置において、
前記本体が内部に光源を設置可能な筐体を構成しており、
前記外鍔部の少なくとも一部が、前記光源の光を透過する透明部材からなることを特徴とする埋込み型照明装置。
【請求項２】
前記光源の光を前記透明部材へ導く反射板をさらに有する請求項１に記載の埋込み型照明装置。
【請求項３】
前記光源が、冷陰極蛍光ランプであることを特徴とする請求項１または２に記載の埋込み型照明装置。
【発明の詳細な説明】
【技術分野】
【０００１】
本発明は、光源を備えた埋込み型照明装置に関する。
【背景技術】
【０００２】
現在、天井面や壁面などの埋込み孔を有する設置面に埋込み設置される様々な埋込み型照明装置が製品化されている。埋込み型照明装置は、設置面に設けられた埋込み孔に挿入され、照明装置本体の外周に形成された外鍔部を埋込み孔の周りの設置面に当接させて設置されるため、設置面の見栄えが良くなる。
【０００３】
埋込み型照明装置の一例として、特許文献１には、天井面に埋込み設置される埋込み型照明装置が開示されている。埋込み型照明装置は、円環状のランプと、そのランプの上方を覆う反射板を有する。そして、反射板の形状を適切な形状とすることで、埋込み型照明装置が発する照射光の配光を制御することが記載されている。
【特許文献１】特開２００５−６３７９４号公報
【発明の開示】
【発明が解決しようとする課題】
【０００４】
上述のように、設置面に埋め込まれる埋込み型照明装置では、光源であるランプが設置面より奥に配置される。したがって、設置面と略平行な方向への配光が少ないため、設置面が暗くなる。特許文献１に記載の照明装置においても、設置面である天井面が暗くなるという課題があった。また、ルーバを備えた埋込み型照明装置では、天井面がより暗くなる傾向がある。そのため、埋込み型照明装置の下方の空間において必要な照度が確保されても、天井面が暗いため、空間全体が暗く感じられることがある。
【０００５】
本発明の目的は、上記背景技術の課題に鑑み、設置面の照度を向上させる埋込み型照明装置を提供することである。
【課題を解決するための手段】
【０００６】
上記課題を解決するため、本発明は、設置面に設けられた埋込み孔に挿入される本体と、該本体の外周に形成され、埋込み孔に本体を挿入するときに設置面に当接する外鍔部とを有する埋込み型照明装置において、本体が内部に光源を設置可能な筐体を構成しており、外鍔部の少なくとも一部が、光源の光を透過する透明部材からなることを特徴とする。
【発明の効果】
【０００７】
本発明による埋込み型照明装置によれば、設置面の照度を向上させることができる。
【発明を実施するための最良の形態】
【０００８】
以下、本発明の実施形態について図面を参照して説明する。図１は、本発明の一実施形態に係わる埋込み型照明装置の断面図である。また図２は、埋込み型照明装置の図１におけるＢの領域を拡大した図である。埋込み型照明装置は、照明装置の外殻を構成する照明装置本体１を有する。照明装置本体１の下端の外周には外鍔部１１が形成されており、照明装置本体１の下側は照射光を反射する反射板５によって覆われており、照明装置本体１と反射板５とで筐体１２を構成している。照明装置本体１は、設置面である天井面１０に設けられた埋込み孔に挿入され、外鍔部１１を埋込み孔の周りの天井面１０に当接させて設置される。
【０００９】
照明装置本体１には、２組のランプソケット３が設置されており、それぞれのランプソケット３には、直管型の蛍光ランプ２が着脱可能に取り付けられている。反射板５は、この蛍光ランプ２からの照射光を反射し、埋込み型照明装置の下方の空間を照射する。また、筐体１２の内部（照明装置本体１と反射板５とで構成される空間の内部。）には、蛍光ランプ２を点灯させる点灯装置４が構成されている。
【００１０】
筐体１２の内部には、別の光源である冷陰極蛍光ランプ６が備えられている。冷陰極蛍光ランプ６の形状は直管型であり、筐体１２の内部の両端部に、蛍光ランプ２と略平行となるように設置されている。冷陰極蛍光ランプ６の上方には、冷陰極蛍光ランプ６を点灯させるインバータ９が設置されている。そして、外鍔部１１の天井面１０と平行な方向の端部は、透明部材であるアクリル樹脂７からなる。これにより、筐体１２の内部の光を筐体１２の外部へ透過させることが出来る。本実施例では、透明部材としてアクリル樹脂７を用いたが、冷陰極蛍光ランプ６から発せられる光Ａを透過すれば、どのようなものでも好適に用いられる。また、冷陰極蛍光ランプ６の光Ａを筐体１２の外部へ配光させることが出来れば、透明部材は外鍔部１１の一部のみに構成されていても構わない。
【００１１】
また、冷陰極蛍光ランプ６から発せられた光Ａを外鍔部１１に構成されたアクリル樹脂７へ導くことができるように、冷陰極蛍光ランプ６の下方には、反射板８が設置されている。これにより、冷陰極蛍光ランプ６から発せられた光Ａは、アクリル樹脂７を透過し、天井面１０と略平行な方向へ照射される。そうすることで、天井面１０の照度が向上される。そして、埋込み型照明装置が設置された空間全体を明るく感じさせることができ、快適性の向上が期待される。また、少ない消費電力で設置された空間全体を明るく感じさせることができるため、省エネルギー化を図ることが可能である。
【００１２】
反射板８は、設置角度が可変に構成されても良い。そうすることで、光Ａの照射方向を適宜変化させ、効率よく天井面１０の照度を向上させることが出来る。
【００１３】
冷陰極蛍光ランプ６は、熱陰極蛍光ランプ（ＨＣＦＬ）と比較して、管径が細く、点灯用のインバータ９も小型である。したがって、冷陰極蛍光ランプ６は収納性が良く、筐体１２の内部に容易に設置可能である。さらに冷陰極蛍光ランプ６は消費電力が小さいため、好適に使用される。
【００１４】
本実施形態では、反射板８を介して冷陰極蛍光ランプ６の光Ａを天井面１０へ向けて照射させたが、冷陰極蛍光ランプ６の光Ａを直接天井面１０へ向けて照射させることができれば、反射板８を設置する必要はない。また、反射板８は複数設置されても構わない。反射板８の有無、及び反射板８の設置位置、設置角度などは、冷陰極蛍光ランプ６の設置位置に応じて決定される。また、照明装置が有する冷陰極蛍光ランプ６の数は好適に変更可能である。
【００１５】
冷陰極蛍光ランプ６は、蛍光ランプ２とは独立に点灯及び消灯可能であっても良い。また、蛍光ランプ２及び冷陰極蛍光ランプ６を調光可能としても良い。本発明の埋込み型照明装置では、設置された空間が明るく感じられるため、蛍光ランプ２を減光させて利用することで、省エネルギー化を図ることができる。
【００１６】
以上、本発明者によってなされた発明を実施形態に基づき具体的に説明したが、本発明は上記実施形態に限定されるものではなく、その要旨を逸脱しない範囲で種々変更可能であることは言うまでもない。
【００１７】
例えば、埋込み型照明装置、蛍光ランプ、冷陰極蛍光ランプなどの形状はどのようなものであっても良い。また、冷陰極蛍光ランプから発せられた光を天井面へ配光することが出来れば、冷陰極蛍光ランプは照明装置の筐体の内部のどこに設置されても良い。また天井面に光を照射するための光源は、照明装置の筐体内部に設置することができれば、冷陰極蛍光ランプに限定されず、例えば発光ダイオード（ＬＥＤ）を用いてもよい。
【００１８】
埋込み型照明装置の設置面は、天井面ではなく、壁面、床面などであっても構わない。本発明における埋込み型照明装置によれば、設置面の照度を向上させることができる。
【図面の簡単な説明】
【００１９】
【図１】本発明の一実施形態に係わる埋込み型照明装置の断面図。
【図２】図１におけるＢの領域における埋込み型照明装置の拡大図。
【符号の説明】
【００２０】
１      照明装置本体
２      ランプ
３      ランプソケット
４      点灯装置
５、８  反射板
６      冷陰極蛍光ランプ
７      アクリル樹脂
９      インバータ
１０    天井面
１１    外鍔部
１２    筐体
Ａ      光
【図１】
2009123650.tif 000003
【図２】
2009123650.tif 000004